(57)【特許請求の範囲】
【請求項１】
内部に発光部を含む内管と、前記内管の外側を囲む外管とを有するバーナーと、
基準突起を有する第１の面と前記第１の面の反対側の第２の面とを有するリング部と、前記リング部から前記リング部の中心軸側に延出した複数の保持片と、を有し、前記リング部の内側に挿入された前記バーナーの前記外管を、前記保持片の先端部で保持するホルダーと、
を備えた放電ランプの組立方法であって、
前記内管の長さ及び前記外管の長さが共通化された１種類の前記バーナーに対して、
前記保持片を、前記リング部の直径方向に対して第１の角度で前記第１の面側に傾けて、前記保持片の前記先端部を前記第１の面側に突き出して前記外管を保持する第１の保持位置と、
前記保持片を、前記リング部の直径方向に対して、前記第１の角度よりも小さい第２の角度で前記第２の面側に傾けて、前記保持片の前記先端部を前記第２の面側に突き出して前記外管を保持する第２の保持位置と、のいずれかを選択することにより、
前記発光部の中心と前記基準突起間の距離を変更可能である放電ランプの組立方法。
【請求項２】
前記第１の保持位置及び前記第２の保持位置で、前記保持片の前記先端部は前記外管の長手方向の同じ位置を保持する請求項１記載の放電ランプの組立方法。
【発明の詳細な説明】
【技術分野】
【０００１】
本発明の実施形態は、放電ランプの組立方法及び放電ランプに関する。
【背景技術】
【０００２】
例えば、自動車の前照灯に使用される放電ランプとして、二重管構造のバーナーをリング状のホルダーで保持した構造が知られている。バーナーはリング状ホルダーの内側に挿入され、ホルダーの中心軸側に延出する複数の保持片によって、バーナーの外管が保持されている。
【先行技術文献】
【特許文献】
【０００３】
【特許文献１】国際公開第２０１１／０３３４１７号
【発明の概要】
【発明が解決しようとする課題】
【０００４】
バーナーを共通化しつつ簡単な構造によってＬＣＬ（Light Center Length）の異なる２種類の規格の放電ランプ及びその組立方法を提供する。
【課題を解決するための手段】
【０００５】
実施形態によれば、放電ランプの組立方法は、内部に発光部を含む内管と、前記内管の外側を囲む外管とを有するバーナーと、基準突起を有する第１の面と前記第１の面の反対側の第２の面とを有するリング部と、前記リング部から前記リング部の中心軸側に延出した複数の保持片と、を有し、前記リング部の内側に挿入された前記バーナーの前記外管を、前記保持片の先端部で保持するホルダーと、を備えた放電ランプの組立方法である。前記放電ランプの組立方法によれば、前記内管の長さ及び前記外管の長さが共通化された１種類の前記バーナーに対して、前記保持片を、前記リング部の直径方向に対して第１の角度で前記第１の面側に傾けて、前記保持片の前記先端部を前記第１の面側に突き出して前記外管を保持する第１の保持位置と、前記保持片を、前記リング部の直径方向に対して、前記第１の角度よりも小さい第２の角度で前記第２の面側に傾けて、前記保持片の前記先端部を前記第２の面側に突き出して前記外管を保持する第２の保持位置と、のいずれかを選択することにより、前記発光部の中心と前記基準突起間の距離を変更可能である。
【図面の簡単な説明】
【０００６】
【図１】実施形態の放電ランプの斜視図であって、バーナーが第２の保持位置でホルダーに対して保持された放電ランプの斜視図。
【図２】図１の放電ランプの断面図。
【図３】図１の放電ランプにおけるバーナー及びホルダーの斜視図。
【図４】実施形態のバーナーの断面図。
【図５】実施形態のホルダーの平面図。
【図６】実施形態のベースの斜視図。
【図７】（ａ）は実施形態のリフレクタの外観斜視図であり、（ｂ）はそのリフレクタの断面図。
【図８】実施形態の放電ランプの斜視図であって、バーナーが第１の保持位置でホルダーに対して保持された放電ランプの斜視図。
【図９】図８の放電ランプの断面図。
【図１０】図８の放電ランプにおけるバーナー及びホルダーの斜視図。
【図１１】（ａ）はバーナーを第１の保持位置で保持する１つの保持片を抽出して表す模式断面図であり、（ｂ）はバーナーを第２の保持位置で保持する１つの保持片を抽出して表す模式断面図。
【図１２】バーナーが第１の保持位置でホルダーに対して保持された他の実施形態の放電ランプの斜視図。
【発明を実施するための形態】
【０００７】
以下、図面を参照し、実施形態について説明する。なお、各図面中、同じ要素には同じ符号を付している。
【０００８】
図１は、実施形態の放電ランプ１ａの斜視図であり、図２は、その放電ランプ１ａの断面図である。
【０００９】
実施形態の放電ランプ１ａは、例えば自動車の前照灯に用いられるＨＩＤ（High Intensity Discharge）ランプであり、バーナー１０とホルダー３０を備えている。また、実施形態では、放電ランプ１ａが自動車に取り付けられた場合に前方となる図２に示した矢印Ｆの方向を前端側、その反対方向の矢印Ｂの方向を後端側と称して説明する。
【００１０】
図３は、バーナー１０及びホルダー３０の斜視図である。  
図４は、バーナー１０の断面図である。  
図５（ａ）は、バーナー１０及びホルダー３０の前端側から見た平面図であり、図５（ｂ）は、ホルダー３０における金属部４１の平面図である。
【００１１】
後述するように、実施形態によれば、バーナー１０をホルダー３０に対して第１の保持位置で保持させることもでき、あるいは、同じバーナー１０をホルダー３０に対して第２の保持位置でも保持させることができる。
【００１２】
図１〜３は、ホルダー３０に対してバーナー１０が第２の保持位置で保持された第２の規格の放電ランプ１ａを表す。バーナー１０の構造は、第１の保持位置で保持される場合も、第２の保持位置で保持される場合でも同じである。
【００１３】
バーナー１０は、内管１１と、内管１１の外側を囲む外管１２とを有する二重管構造を有する。内管１１は、例えば石英ガラスなどの透光性と耐熱性を具備した材料からなる。
【００１４】
内管１１の長手方向（図４において上下方向）の中央付近には、発光部１３が設けられている。発光部１３の両端には板状のシール部１６が設けられ、さらにシール部１６における発光部１３に対する反対側の端には円筒部１７ａ、１７ｂが設けられている。発光部１３、シール部１６および円筒部１７ａ、１７ｂは一体に連続している。
【００１５】
発光部１３の内部には、放電空間１４が形成されている。放電空間１４には、放電媒体が封入されている。放電媒体１４は、例えば、金属ハロゲン化物と希ガスを含み、水銀は含んでいない、いわゆる水銀フリーの媒体である。
【００１６】
発光部１３を挟んで一対のシール部１６が設けられている。それぞれのシール部１６には、電極マウント２１が封じ込められている。図３にも示されるように、電極マウント２１は、電極２２、コイル２３、金属箔２４およびリード線２５を含む。
【００１７】
一対の電極２２のそれぞれの一端は、放電空間１４内で所定の電極間距離を保って対向している。コイル２３は、電極２２に巻回されている。
【００１８】
金属箔２４は、電極２２とリード線２５とを接続している。一対のリード線２５のそれぞれの端部は、内管１１の外部に延出している。そのうち、バーナー１０の前端側に延出したリード線２５には、サポートワイヤ２６の一端が例えばレーザー溶接により接続されている。すなわち、放電空間１４に臨む一対の電極２２のうちの一方は、電極マウント２１を介してサポートワイヤ２６と電気的に接続されている。サポートワイヤ２６において、バーナー１０の二重管の管軸に対して平行に延びる部分には、例えばセラミックからなるスリーブ２７が装着されている。
【００１９】
一対の電極２２のうちの他方は、電極マウント２１から後端側に延出するリード線２５と電気的に接続されている。
【００２０】
内管１１の外側には、筒状の外管１２が内管１１と同心状に設けられている。外管１２は、内管１１の円筒部１７ａ、１７ｂ付近に溶着されている。内管１１と外管１２との間には気密に保たれた空間１５が形成され、その空間１５には、例えば、ネオン、アルゴン、キセノン、窒素から選択された一種のガスまたは混合ガスが封入されている。外管１２の材料は、例えば、チタン、セリウム、アルミニウム等の酸化物を添加した石英ガラスなど、内管１１に熱膨張係数が近く、かつ紫外線遮断性を有する材料が望ましい。
【００２１】
外管１２の内部空間１５に封入されたガスの圧力は、内管１１の放電空間１４内のガス圧力よりも低い。このため、点灯始動時に外管１２の内部空間１５で誘電体バリア放電が発生し、絶縁破壊が補助される。すなわち、より低い放電開始電圧で確実に発光させることができる。
【００２２】
バーナー１０において発光部１３よりも後端側には、図１〜３に示される金属バンド５５が装着されている。リング状の金属バンド５５の両端どうしは溶接され、金属バンド５５は外管１２の外周面に固定されている。
【００２３】
金属バンド５５の周辺には、ホルダー３０が設けられている。ホルダー３０は、樹脂部３１と金属部４１とを組み合わせた構成を有する。
【００２４】
図５（ａ）に示すように、樹脂部３１は、ホルダー３０の外縁側に設けられたリング部３５を有する。リング部３５は、第１の面と、その反対側の第２の面とを有する。第１の面は放電ランプ１ａの前端側を向き、第２の面は放電ランプ１ａの後端側を向く。
【００２５】
リング部３５の第１の面には、前端側に突出した基準突起３３が設けられている。例えば、３つの基準突起３３が、リング部３５の周方向に１２０°間隔で設けられている。
【００２６】
バーナー１０がホルダー３０に保持された状態で、基準突起３３の先端から発光部１３内の電極間中心までの距離（図２におけるＤ２）は、放電ランプのＬＣＬ（Light Center Length）と規定されている。
【００２７】
リング部３５の外周側には、例えば３つの外周側切欠き３２が形成されている。リング部３５の内周側には、例えば６つの内周側切欠き３４が形成されている。
【００２８】
ホルダー３０の金属部４１は、例えばステンレスなどからなる金属板である。金属部４１の外周側の部分が樹脂部３１に埋め込まれ、金属部４１と樹脂部３１とは一体にされる。
【００２９】
図５（ｂ）は、樹脂部３１と組み合わされる前の金属部４１の平面形状を表す。金属部４１は、例えば金属板の打ち抜き加工により形成することができる。図５（ｂ）は、打ち抜き加工後の板状の状態を表し、保持片４３が曲げ加工される前の状態を表す。
【００３０】
金属部４１は、リング部４２と、リング部４２からリング部４２の中心軸側に延出した複数の保持片４３とを有する。例えば、４つの保持片４３がリング部４２の周方向に９０°間隔で設けられている。
【００３１】
リング部４２の内周側に、スリーブ保持部４４が設けられている。スリーブ保持部４４は、周方向で隣り合う保持片４３の間に設けられている。スリーブ保持部４４には貫通孔４４ａが形成され、その貫通孔４４ａにバーナー１０のスリーブ２７が挿通される。
【００３２】
リング部４２の外周側には、例えば３つの切欠き４５が形成されている。金属部４１のリング部４２の切欠き４５と、樹脂部３１のリング部３５の外周側切欠き３２との周方向位置を一致させて、金属部４１と樹脂部３１は組み合わされる。
【００３３】
金属部４１のリング部４２には、リング部４２の表裏を貫通する例えば６つのスリット４６が形成されている。スリット４６と、樹脂部３１に形成された内周側切欠き３４との周方向位置を一致させて、金属部４１と樹脂部３１は組み合わされる。
【００３４】
図１〜３に示すように、バーナー１０は、金属部４１のリング部４２の内側に挿入され、複数（実施形態では４つ）の保持片４３によって保持される。バーナー１０は、リング部４２の中心位置で、リング部４２から離間した状態で保持される。バーナー１０は、管軸をリング部４２の中心軸に対して平行にした姿勢で保持される。
【００３５】
図１１（ｂ）は、１つの保持片４３を抽出して表す模式断面図である。リング部４２は、第１の面４２ａと、その反対側の第２の面４２ｂとを有する。第１の面４２ａは前端側を向き、第２の面４２ｂは後端側を向く。
【００３６】
保持片４３におけるリング部４２側の根元部は後端側に折り曲げられている。すなわち、保持片４３は、リング部４２の直径方向ｄに対して第２の面４２ｂ側に傾けられ、保持部４３の先端部４３ａが第２の面４２ｂ側に突出している。保持部４３の先端部４３ａは、さらに後端側に折り曲げられ、金属バンド５５に対して例えばレーザー溶接により接合されている。
【００３７】
図１〜３では、バーナー１０は第２の保持位置でホルダー３０に対して保持されている。図２に示すように、第２の保持位置では、バーナー１０において保持片４３によって支えられる部分となる金属バンド５５は、ホルダー３０よりも後端側に位置する。第２の保持位置の場合、ＬＣＬ（図２におけるＤ２）は、例えば１８．０ｍｍとなる。
【００３８】
図１１（ｂ）に示すように、保持片４３は、リング部４２の直径方向ｄに対して第２の角度βで第２の面４２ｂ側に傾けられ、保持片４３の先端部４３ａは第２の面４２ｂよりも後端側で金属バンド５５に接合されている。第２の角度βは、例えば４０°である。
【００３９】
また、保持片４３におけるリング部４２に埋め込まれた基端部４３ｂと、先端部４３ａと金属バンド５５との接合部との距離Ｌ２は、後述する第１の保持位置の場合における対応する距離Ｌ１より短い。
【００４０】
図１及び図２に示すように、ホルダー３０の後端側にはベース５０が設けられている。ベース５０は、例えば導電性材料からなり、図６に示すように、ハウジング５１とリング５２とを備えている。
【００４１】
ハウジング５１の内部には、放電ランプ１ａを始動および安定点灯させるための点灯回路（図示せず）などが収容される。その点灯回路の端子には、図２に示される、後端側に延出するリード線２５の一端およびサポートワイヤ２６の一端が接続される。
【００４２】
図６に示すように、ハウジング５１の前端部にはハウジング５１の内部に通じる開口５４が形成され、その開口５４の周縁部にリング５２が設けられている。リング５２の前端側には、例えば６つの突起部５３が設けられている。
【００４３】
それら突起部５３は、図３及び図５（ｂ）に示されるホルダー３０の金属部４１のスリット４６に第２の面側から差し込まれ、図１及び図５（ａ）に示すように、ホルダー３０の外周側に向けて折り曲げられる。折り曲げられた突起部５３は、樹脂部３１の内周側切欠き３４に収まる。
【００４４】
これにより、ベース５０に対してホルダー３０が取り付けられる。なお、折り曲げられた突起部５３と金属部４１との重なり部分にレーザー溶接等をして、突起部５３を金属部４１に接合させてもよい。あるいは、突起部５３をスリット４６に挿入した後、折り曲げることなく溶接して金属部４１に対して接合してもよい。
【００４５】
放電ランプは、図７（ａ）及び（ｂ）に示すように、リフレクタ６０に対して取り付けられる。リフレクタ６０は、いずれも中空構造のネック部６１と反射部６２とを有する。
【００４６】
ネック部６１の後端側の内壁には段差が形成され、ネック部６１の後端側には、放電ランプのホルダー３０が取り付けられる取付面６３が設けられている。取付面６３は、図７（ａ）に示すように、環状に形成されている。取付面６３よりも後端側のネック部６１の内周壁には、例えば３つの係止片６４が設けられている。
【００４７】
反射部６２は、ネック部６１の前端側に、ネック部６１に連続して設けられている。反射部６２の前端にはレンズホルダー７１が設けられ、そのレンズホルダー７１にはレンズ７２が保持されている。
【００４８】
ネック部６１の後端側からバーナー１０をリフレクタ６０内に挿入し、ホルダー３０の第１の面を取付面６３に対向させる。ホルダー３０の切欠き３２と係止片６４との周方向位置を一致させて、基準突起３３を取付面６３に接触させる。そして、放電ランプをベース５０ごと取付面６３に対して回転させると、ホルダー３０の樹脂部３１が取付面６３と係止片６４との間に狭持される。これにより、放電ランプは、リフレクタ６０に対して固定される。
【００４９】
以上説明したバーナー１０は第２の保持位置でホルダー３０に対して保持されているが、ホルダー３０における保持片４３の曲げ方向を第２の保持位置とは逆方向にすることで、バーナー１０を第１の保持位置で保持させることができる。
【００５０】
図８は、バーナー１０がホルダー３０に対して第１の保持位置で保持された第１の規格の放電ランプ１ｂの斜視図であり、図９は、その断面図である。図１０は、それらバーナー１０及びホルダー３０の斜視図である。図１１（ａ）は、バーナー１０を第１の保持位置で保持する１つの保持片４３を抽出して表す模式断面図である。
【００５１】
バーナー１０は、金属部４１のリング部４２の内側に挿入され、４つの保持片４３によって保持される。バーナー１０は、リング部４２の中心位置で、リング部４２から離間した状態で保持される。バーナー１０は、管軸をリング部４２の中心軸に対して平行にした姿勢で保持される。
【００５２】
保持片４３におけるリング部４２側の根元部は、前述した第２の保持位置とは逆方向の前端側に折り曲げられている。すなわち、図１１（ａ）に示すように、保持片４３は、リング部４２の直径方向ｄに対して第１の面４２ａ側に傾けられ、保持部４３の先端部４３ａが第１の面４２ａ側に突出している。保持部４３の先端部４３ａは、さらに前端側に折り曲げられ、金属バンド５５に対して例えばレーザー溶接により接合されている。
【００５３】
第１の保持位置では、バーナー１０において保持片４３によって支えられる部分となる金属バンド５５は、ホルダー３０よりも前端側に位置する。第１の保持位置の場合、ＬＣＬ（図９におけるＤ１）は、例えば２７．１ｍｍとなる。
【００５４】
図１１（ａ）に示すように、保持片４３は、リング部４２の直径方向ｄに対して第１の角度αで第１の面４２ａ側に傾けられ、保持片４３の先端部４３ａは第１の面４２ａよりも前端側で金属バンド５５に接合されている。第１の角度αは、前述した第２の保持位置の場合の第２の角度βよりも大きく、例えば５５°である。
【００５５】
また、保持片４３におけるリング部４２に埋め込まれた基端部４３ｂと、先端部４３ａと金属バンド５５との接合部との距離Ｌ１は、前述した第２の保持位置の場合の距離Ｌ２より長く、例えば５〜６ｍｍである。
【００５６】
この放電ランプ１ｂも、リフレクタ６０の取付面６３に対して、前述した放電ランプ１ａと同じようにして取り付けることができる。
【００５７】
図８〜１０に表される第１の規格の放電ランプ１ｂと、図１〜３に表される第２の規格の放電ランプ１ａとで、少なくともバーナー１０は構成及びサイズが同じである。
【００５８】
放電ランプ１ａと放電ランプ１ｂとは、ホルダー３０に対してバーナー１０が第１の保持位置で保持されるか第２の保持位置で保持されるかが異なる。この保持位置の違いによって、放電ランプ１ａのＬＣＬ（図２におけるＤ２）と、放電ランプ１ｂのＬＣＬ（図９におけるＤ１）とが相違する。
【００５９】
実施形態によれば、保持片４３の曲げ方向（突き出し方向）を逆にすることで、第１の保持位置と第２の保持位置とのいずれかを選択することができる。そして、その保持位置の違いによって、発光部１３の中心と基準突起３３間の距離（ＬＣＬ）を変えることができる。すなわち、構造及びサイズが共通化された１種類のバーナー１０を使いつつ、保持片４３の曲げ方向を逆にするという簡単な対応で、ＬＣＬが異なる２つの規格の放電ランプを選択して組み立てることができる。
【００６０】
ＬＣＬがＤ１の放電ランプ１ｂと、ＬＣＬがＤ２（＜Ｄ１）の放電ランプ１ａとで、内管１１の長さ、太さ、放電空間１４内の封入ガス、外管１２の長さ、太さ、空間１５内の封入ガスは、同じである。
【００６１】
また、放電ランプ１ｂと放電ランプ１ａとで、金属バンド５５は外管１２の長手方向の同じ位置に装着されている。すなわち、第１の保持位置及び第２の保持位置で、保持片４３の先端部は外管１２の長手方向の同じ位置を保持する。
【００６２】
また、放電ランプ１ｂと放電ランプ１ａとで、スリーブ２７の長さが同じである。サポートワイヤ２６の長さは、放電ランプ１ｂと放電ランプ１ａとで、同じ場合もあるし、異なる場合もある。リード線２５の長さも、放電ランプ１ｂと放電ランプ１ａとで、同じ場合もあるし、異なる場合もある。
【００６３】
実施形態によれば、同種同規格のバーナー１０を使うことによる部品共通化によって、製造の効率化及びコストダウンを図れる。すなわち、ＬＣＬの違いに合わせてバーナーを個別に製作したり用意せずに、バーナー１０を共通化しつつ保持片４３の加工による対応だけで、ＬＣＬの異なる２種類の規格の放電ランプのどちらにも容易に対応することができる。結果として、安価な放電ランプの提供が可能となる。
【００６４】
例えば、第１の規格の放電ランプ１ｂのＬＣＬ（＝Ｄ１）は２７．１ｍｍであり、第２の規格の放電ランプ１ａのＬＣＬ（＝Ｄ２）は１８．０ｍｍである。
【００６５】
ここで、ＬＣＬが２７．１ｍｍである図８〜１０に示される放電ランプ１ｂにおいて、保持片４３を単純に後端側に折り曲げてバーナー１０を保持しても、ＬＣＬを１８．０ｍｍにすることはできない。ＬＣＬが２７．１ｍｍの放電ランプ１ｂは、図１１（ａ）における距離Ｌ１が例えば５〜６ｍｍである。その、保持片４３を同じ角度αで後端側に曲げると（傾けると）、図１１（ｂ）における距離Ｌ２もＬ１と同じ（例えば５〜６ｍｍ）になってしまい、ＬＣＬ（＝Ｄ２）が１８ｍｍ以下になってしまう。
【００６６】
そこで、実施形態によれば、第２の保持位置のときの保持片４３の曲げ角度（傾斜角度）βを、第１の保持位置のときの保持片４３の曲げ角度（傾斜角度）αよりも小さくする。例えば、５５°のαに対して、βを４０°にすることで、ＬＣＬ（＝Ｄ２）を１８．０ｍｍに調整することができる。
【００６７】
また、α＞βとし、α及びβのそれぞれを適切に設定することで、保持片４３の先端部４３ａを金属バンド５５に対して同じ位置で重ね合わせることができ、保持位置が異なっても溶接を行いやすくなる。
【００６８】
相対的に曲げ角度βが小さい放電ランプ１ａでは、相対的に曲げ角度αが大きい放電ランプ１ｂに比べて、バーナー１０の保持強度が高くなり、ディフレクション特性（変位しにくさ）に優れる。
【００６９】
ホルダー３０の金属部４１は、例えば、一枚の金属板を打ち抜き加工することで得ることができる。これにより、図５（ｂ）に示すように、複数の保持片４３を一体成形でき、部品点数を減らすことができる。
【００７０】
ホルダー３０は、樹脂部３１と金属部４１とを組み合わせた構成に限らず、金属のみから構成してもよい。また、放電ランプ１ｂと放電ランプ１ａとで、ホルダー３０の構造は全く同じでなくてもよい。
【００７１】
また、例えば、図１２に示すように、４つの独立した保持片８１を樹脂部８２に対して組み込んでもよい。すなわち、図１２に示すホルダー８０は、リング状の樹脂部８２と、一方の端部が樹脂部８２に埋め込まれて、他方の端部（先端部）が金属バンド５５に向けて延出して接合された複数の保持片８１とを有する。また、このホルダー８０では、樹脂部８２の内周側にスリーブ保持部８３が設けられている。
【００７２】
また、図１２に示すように、ベース９１は、内部に点灯回路を有していないソケットタイプのものであってもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１ａ，１ｂ…放電ランプ、１０…バーナー、１１…内管、１２…外管、１３…発光部、３０，８０…ホルダー、３１，８２…樹脂部、３３…基準突起、４１…金属部、４２…リング部、４２ａ…第１の面、４２ｂ…第２の面、４３，８１…保持片、５０，９１…ベース、５１…ハウジング、５５…金属バンド、６０…リフレクタ
【図１】
0005884404.tif 000002
【図３】
0005884404.tif 000003
【図５】
0005884404.tif 000004
【図６】
0005884404.tif 000005
【図８】
0005884404.tif 000006
【図１０】
0005884404.tif 000007
【図１１】
0005884404.tif 000008
【図１２】
0005884404.tif 000009
【図２】
0005884404.tif 000010
【図４】
0005884404.tif 000011
【図７】
0005884404.tif 000012
【図９】
0005884404.tif 000013